【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
製版装置において、センサを較正する方法であって、
間に測定縁がある離間した前縁及び後縁を有する媒体用紙を媒体経路に沿って搬送するステップと、
前記用紙の前記前縁が固定基準を通過した後、前記用紙の前進運動を停止するステップと、
前記用紙の前記測定縁の横方向の位置を測定するように構成された用紙アクチュエータを用いて、前記用紙を、少なくとも１つのエッジセンサを横切る前記媒体経路に対して横方向に移動させるステップと、
前記媒体経路を基準として前記用紙アクチュエータの実際の位置を記録するステップと、
前記少なくとも１つのエッジセンサの出力を記録するステップと、
前記用紙アクチュエータの前記実際の位置及び前記少なくとも１つのエッジセンサの前記出力に基づいて較正係数を計算するステップと、
を含む方法。
【請求項２】
前記少なくとも１つのエッジセンサを有し、前記媒体経路に沿っている位置決め装置を含む、請求項１に記載の方法。
【請求項３】
前記用紙アクチュエータは、前記用紙の前記横方向の位置を測定するように構成された位置検出器を用いる、請求項１に記載の方法。
【請求項４】
前記用紙アクチュエータは、前記用紙を、１組の所定の増分の横方向の位置に沿って移動させるように構成されたステップ・モータを用いる、請求項１に記載の方法。
【請求項５】
前記センサの出力及び前記用紙アクチュエータの位置を用いて、前記較正係数から較正曲線を得る、請求項１に記載の方法。
【請求項６】
用紙アクチュエータを用いて、前記用紙を、少なくとも１つのエッジの前記組にわたって移動させる前記ステップと、前記少なくとも１つのエッジセンサの出力及び前記用紙アクチュエータの位置を記録する前記ステップは、複数回繰り返される、請求項１に記載の方法。
【請求項７】
前記用紙アクチュエータの前記位置の複数の記録を平均化し、統計的有意性を確実にする、請求項６に記載の方法。
【請求項８】
前記エッジセンサの前記出力の複数の記録を平均化し、統計的有意性を確実にする、請求項７に記載の方法。
【請求項９】
前記較正係数は、前記用紙アクチュエータの位置の前記平均及び前記エッジセンサの出力の前記平均に基づいている、請求項８に記載の方法。
【請求項１０】
前記少なくとも１つのエッジセンサは、高い用紙間反復性を有するよう構成されている、請求項１に記載の方法。
【請求項１１】
前記少なくとも１つのエッジセンサが較正された後、前記位置決め装置を通る前記媒体経路に沿って、前記用紙を搬送する、請求項１に記載の方法。
【請求項１２】
共通センサの組を用いて、前記媒体経路に沿った前記用紙の処理位置を検出するステップを、さらに含む、請求項１に記載の方法。
【請求項１３】
前記製版装置が印刷をしていない間、前記センサを較正する、請求項１に記載の方法。
【請求項１４】
前記用紙アクチュエータは、前記用紙の位置に対応する横方向キャリッジの前記横方向の位置を測定する、請求項１に記載の方法。
【請求項１５】
センサを較正する製版装置を用いたシステムであって、
媒体用紙と、
間に測定縁がある離間した前縁及び後縁を有する媒体用紙を搬送するように適合されている媒体経路と、
前記用紙の前記測定縁の位置を測定するように構成された、前記媒体経路に沿った少なくとも１つのエッジセンサと、
一対のニップを含み、前記媒体経路に対して横方向に移動するように構成され、前記用紙の前記測定縁の横方向の位置を測定するように構成された用紙アクチュエータを用いて、少なくとも１つのエッジセンサを較正する、位置決め装置と、
を含み、
前記位置決め装置は、
前記用紙の前記前縁が固定基準を通過した後、前記用紙の前進運動を停止し、
前記用紙アクチュエータを用いて、前記用紙を前記少なくとも１つのエッジセンサを横切るように動かし、
前記媒体経路を基準として前記用紙アクチュエータの実際の位置を記録し、
前記少なくとも１つのエッジセンサの出力を記録し、
前記アクチュエータの前記実際の位置及び前記少なくとも１つのエッジセンサの前記出力に基づいて較正係数を計算する、
ステップを用いて、前記少なくとも１つのエッジセンサを較正する、システム。
【請求項１６】
前記用紙アクチュエータは、前記用紙の前記横方向の位置を測定するように構成された位置検出器を用いる、請求項１５に記載のシステム。
【請求項１７】
前記用紙アクチュエータは、前記用紙を、１組の所定の増分の横方向の位置に沿って移動させるように構成されたステップ・モータを用いる、請求項１５に記載のシステム。
【請求項１８】
前記媒体経路に沿った前記用紙の処理位置を検出するよう構成されている少なくとも１つの共通センサをさらに含む、請求項１５に記載のシステム。
【請求項１９】
前記媒体経路に沿って前記用紙を制御するよう構成されている少なくとも１組の媒体ローラをさらに含む、請求項１５に記載のシステム。
【請求項２０】
前記位置決め装置は、一対のニップを用いて、前記用紙の前進運動を停止する、請求項１５に記載のシステム。
【請求項２１】
前記製版装置が印刷をしていない間、前記位置決め装置を較正する、請求項１５に記載のシステム。
【請求項２２】
較正システムを含む製版装置であって、前記較正システムは、
間に測定縁がある離間した前縁及び後縁を有する媒体用紙を搬送するように適合され、前記用紙を前記位置決め装置まで搬送し、かつ、前記位置決め装置における該用紙の横方向の動きを可能にするように構成された少なくとも一対のニップと、該用紙が媒体経路に沿って搬送される際に該用紙のタイミングを記録するように構成された少なくとも１つの共通センサとを含む、媒体経路と、
前記用紙の前記測定縁の位置を測定するように構成された、前記媒体経路に沿った少なくとも１つのエッジセンサと、
一対のニップを含み、前記媒体経路に対して横方向に移動するように構成され、前記用紙の前記測定縁の横方向の位置を測定するように構成された用紙アクチュエータを用いて、該用紙の横方向の位置を測定できる少なくとも１つのエッジセンサを較正する、該媒体経路に沿った位置決め装置と、
前記用紙の測定された横方向の位置を収集し格納するように構成されたコントローラと、
を含み、
前記較正システムは、
前記位置決め装置を用いて、前記用紙の前記前縁が固定基準を通過した後、前記用紙の前進運動を停止し、
前記用紙アクチュエータを用いて、前記用紙を前記少なくとも１つのエッジセンサを横切るように動かし、
前記媒体経路を基準として前記用紙アクチュエータの実際の位置を記録し、
前記少なくとも１つのエッジセンサの出力を記録し、
前記アクチュエータの前記実際の位置及び前記少なくとも１つのエッジセンサの前記出力に基づいて較正係数を計算する、
ステップを用いて、前記少なくとも１つのエッジセンサを較正する、装置。
【請求項２３】
前記用紙アクチュエータは、前記用紙の前記横方向の位置を測定するように構成された位置検出器を用いる、請求項２２に記載の装置。
【請求項２４】
前記用紙アクチュエータは、前記用紙を、１組の所定の増分の横方向の位置に沿って移動させるように構成されたステップ・モータを用いる、請求項２２に記載の装置。
【請求項２５】
前記少なくとも１つの共通センサは、前記媒体経路に沿った前記用紙の処理位置を検出するよう構成されている３つの共通センサを含む、請求項２２に記載の装置。
【請求項２６】
前記位置決め装置に到達する前に、前記媒体経路に沿って前記用紙を搬送するよう構成されている少なくとも１組の媒体ローラをさらに含む、請求項２２に記載の装置。
【請求項２７】
前記製版装置は、該製版装置が印刷していない間に較正される、請求項２２に記載の装置。
【請求項２８】
前記製版装置は、一対のニップを用いて、前記用紙の前進運動を停止する、請求項２２に記載の装置。